(57)【要約】【課題】着用時における生理用ナプキンと着用者の肌との間の擦れを生じにくくする。【解決手段】肌側の表面シート３と非肌側の裏面シート２との間に吸収体４が介在された本体部分の非肌側面にアウターとの固定を図るズレ止め粘着剤層１１が備えられた生理用ナプキン１である。吸収体４とズレ止め粘着剤層１１との間にせん断変形層１０が備えられ、前記せん断変形層１０のせん断変形により、前記せん断変形層１０の肌側に配置された部材と、前記せん断変形層１０の非肌側に配置された部材とが面方向に対して相対的に位置ずれし得るように成されている。前記せん断変形層は、発泡樹脂によって構成されている。前記せん断変形層１０が前記裏面シート２の非肌側面に設けられるか、前記吸収体４と裏面シート２との間に設けられている。【選択図】図３
2020156641.tif 000002
【特許請求の範囲】
【請求項１】
肌側の表面シートと非肌側の裏面シートとの間に吸収体が介在された本体部分の非肌側面にアウターとの固定を図るズレ止め部材が備えられた吸収性物品において、
前記吸収体とズレ止め部材との間にせん断変形層が備えられ、前記せん断変形層のせん断変形により、前記せん断変形層の肌側に配置された部材と、前記せん断変形層の非肌側に配置された部材とが面方向に対して相対的に位置ずれし得るように成されていることを特徴とする吸収性物品。
【請求項２】
前記せん断変形層は、発泡樹脂からなる請求項１記載の吸収性物品。
【請求項３】
前記せん断変形層が前記裏面シートの非肌側面に設けられ、前記ズレ止め部材が前記せん断変形層の非肌側面に設けられている請求項１、２いずれかに記載の吸収性物品。
【請求項４】
前記せん断変形層が前記吸収体と裏面シートとの間に設けられ、前記ズレ止め部材が前記裏面シートの非肌側面に設けられている請求項１、２いずれかに記載の吸収性物品。
【請求項５】
前記ズレ止め部材が前記せん断変形層と厚み方向に重なる領域に設けられている請求項１〜４いずれかに記載の吸収性物品。
【請求項６】
前記ズレ止め部材は、粘着剤層又はフック部材からなる請求項１〜５いずれかに記載の吸収性物品。
【発明の詳細な説明】
【技術分野】
【０００１】
本発明は、生理用ナプキン、パンティライナー、使い捨ておむつ、失禁パッド等の吸収性物品に係り、詳しくはせん断変形層を備えることにより、着用時における吸収性物品と着用者の肌との擦れを起こりにくくした吸収性物品に関する。
【背景技術】
【０００２】
従来より、吸収性物品の着用時に、脚を動かすなどの姿勢を変化させる着用者の動作に起因して、吸収性物品の肌当接面と着用者の肌との間で擦れが起こり、着用者が痒みや痛みを感じ、装着感が悪化することが指摘されていた。
【０００３】
このような、吸収性物品と着用者の肌との間の擦れの原因としては、吸収性物品の着用時に、非肌側面に設けられたズレ止め部材よって吸収性物品が下着、おむつ外装体等のアウターに固定されているため、着用者の動作に伴ってアウターにヨレやシワなどが発生しアウターが着用者の肌に対して相対的に位置ずれすることによって、このアウターとともに吸収性物品が位置ずれすることが一因として挙げられる。
【０００４】
肌との密着性を高めて使用時の漏れを防止する技術としては、下記特許文献１に、吸収性物品の包装体内では厚みが薄く、包装体から取り出し使用する際には厚みが回復し、使用時に吸収性物品に必要な厚みを発現させる圧縮回復シートを備えた吸収性物品が開示されている。また、下記特許文献２には、裏面材の外側に更に、滑り防止材として摩擦係数が高い軟質ポリウレタンフォームを積層することにより、使用者が着用中に少々動いても吸収性物品とショーツとの間の位置ずれが発生することを防止した吸収性物品が開示されている。
【先行技術文献】
【特許文献】
【０００５】
【特許文献１】特許第３６１１７４５号公報
【特許文献２】特開平１１−３４７０６６号公報
【発明の概要】
【発明が解決しようとする課題】
【０００６】
上述の通り、吸収性物品と着用者の肌との間の擦れの要因は、アウターと着用者の肌との相対的な位置ずれであるため、吸収性物品がアウター側に固定されている以上、ある程度の擦れが生じるのは致し方ないとの考えもあり、これまでは表面シートの肌触り感を向上させるなどの対策が講じられていた。また、上記特許文献１に記載されるように、肌側に厚みを発現させることにより肌との密着性を高めたり、上記特許文献２に記載されるように、吸収性物品がアウターに対してずれにくくしたりする等が行われていたが、吸収性物品と着用者の肌との擦れを生じにくくするという直接的な対策は何ら講じられていないのが現状であった。
【０００７】
そこで本発明の主たる課題は、着用時における吸収性物品と着用者の肌との間の擦れを生じにくくした吸収性物品を提供することにある。
【課題を解決するための手段】
【０００８】
上記課題を解決するために請求項１に係る本発明として、肌側の表面シートと非肌側の裏面シートとの間に吸収体が介在された本体部分の非肌側面にアウターとの固定を図るズレ止め部材が備えられた吸収性物品において、
【０００９】
前記吸収体とズレ止め部材との間にせん断変形層が備えられ、前記せん断変形層のせん断変形により、前記せん断変形層の肌側に配置された部材と、前記せん断変形層の非肌側に配置された部材とが面方向に対して相対的に位置ずれし得るように成されていることを特徴とする吸収性物品が提供される。
【００１０】
上記請求項１記載の発明では、吸収体と吸収性物品の非肌側面に備えられたズレ止め部材との間にせん断変形層が備えられ、前記せん断変形層のせん断変形により、前記せん断変形層の肌側に配置された部材と、前記せん断変形層の非肌側に配置された部材とが面方向に対して相対的に位置ずれし得るように成されているため、吸収性物品の着用時に、脚を動かすなどの姿勢を変化させる着用者の動作に伴い、アウターにヨレやシワなどが生じてアウターが着用者の肌に対して相対的に位置ずれしたときでも、前記せん断変形層がせん断変形することにより、前記せん断変形層の非肌側に配置された部材（少なくともズレ止め部材を含む。）の位置ずれが、前記せん断変形層の肌側に配置された部材（少なくとも表面シートを含む。）に影響を与えることなく、前記せん断変形層の肌側に配置された部材が着用者の肌に密着した状態に維持される。このように、前記せん断変形層がせん断変形することにより、アウターの位置ずれがせん断変形層の肌側に配置された部材にまで影響を与えないため、着用時における吸収性物品の肌当接面と着用者の肌との間の擦れが生じにくくなり、着用者の痒みや痛みなどの装着感の悪化が抑えられる。
【００１１】
請求項２に係る本発明として、前記せん断変形層は、発泡樹脂からなる請求項１記載の吸収性物品が提供される。
【００１２】
上記請求項２記載の発明では、前記せん断変形層として、せん断ひずみを大きくとれる、ポリプロピレン、ポリエチレン、スチレン等の合成樹脂を発泡させて多孔質状にした発泡樹脂（プラスチックフォーム）を用いている。
【００１３】
請求項３に係る本発明として、前記せん断変形層が前記裏面シートの非肌側面に設けられ、前記ズレ止め部材が前記せん断変形層の非肌側面に設けられている請求項１、２いずれかに記載の吸収性物品が提供される。
【００１４】
上記請求項３記載の発明は、前記せん断変形層の配置位置に関する一実施形態例であり、せん断変形層を裏面シートの非肌側面に設け、前記ズレ止め部材を前記せん断変形層の非肌側面に設けている。つまり、せん断変形層の肌側には、表面シート、吸収体及び裏面シートが配置され、これらの部材が一体的に肌に密着した状態が維持できるようになっている。
【００１５】
請求項４に係る本発明として、前記せん断変形層が前記吸収体と裏面シートとの間に設けられ、前記ズレ止め部材が前記裏面シートの非肌側面に設けられている請求項１、２いずれかに記載の吸収性物品が提供される。
【００１６】
上記請求項４記載の発明は、前記せん断変形層の配置位置に関する他の実施形態例であり、せん断変形層を吸収体と裏面シートとの間に設け、前記ズレ止め部材を前記裏面シートの非肌側面に設けている。つまり、せん断変形層の肌側には、表面シート及び吸収体が配置され、これらの部材が一体的に肌に密着した状態が維持できるようになっている。
【００１７】
請求項５に係る本発明として、前記ズレ止め部材が前記せん断変形層と厚み方向に重なる領域に設けられている請求項１〜４いずれかに記載の吸収性物品が提供される。
【００１８】
上記請求項５記載の発明では、前記ズレ止め部材が前記せん断変形層と厚み方向に重なる領域に設けられているため、せん断変形層の非肌側がアウターに固定され、せん断変形層の肌側に配置された部材が着用者の肌に密着した状態が維持できるようになる。
【００１９】
請求項６に係る本発明として、前記ズレ止め部材は、粘着剤層又はフック部材からなる請求項１〜５いずれかに記載の吸収性物品が提供される。
【００２０】
上記請求項６記載の発明では、前記ズレ止め部材として、粘着剤層又はフック部材を用いている。吸収性物品の外に穿くものがショーツ等の下着の場合には、前記ズレ止め層として粘着剤層を用いるのが好ましく、おむつ外装体等の場合には、おむつ外装体の内面に機械的に接合可能なフック部材を用いるのが好ましい。
【発明の効果】
【００２１】
以上詳説のとおり本発明によれば、着用時における吸収性物品と着用者の肌との間の擦れが生じにくくなる。
【図面の簡単な説明】
【００２２】
【図１】本発明に係る生理用ナプキン１の一部破断展開図である。
【図２】図１のII−II線矢視図である。
【図３】着用者が動作したときの変形状態を示す生理用ナプキン１の断面図である。
【図４】第２形態例に係るせん断変形層１０を備えた生理用ナプキン１の断面図である。
【図５】第３形態例に係るせん断変形層１０を備えた生理用ナプキン１の断面図である。
【図６】第４形態例に係るせん断変形層１０を備えた生理用ナプキン１の裏面図である。
【図７】図６のVII−VII線矢視図である。
【図８】第５形態例に係るせん断変形層１０を備えた生理用ナプキン１の裏面図である。
【発明を実施するための形態】
【００２３】
以下、本発明の実施の形態について図面を参照しながら詳述する。
【００２４】
〔生理用ナプキン１の基本構成〕
本発明に係る生理用ナプキン１は、図１及び図２に示されるように、ポリエチレンシート、ポリプロピレンシートなどからなる不透液性の裏面シート２と、経血やおりものなどを速やかに透過させる透液性の表面シート３と、これら両シート２，３間に介在された綿状パルプまたは合成パルプなどからなる吸収体４と、この吸収体４の形状保持および拡散性向上のために前記吸収体４を囲繞するクレープ紙又は不織布などからなる被包シート５と、必要に応じて前記表面シート３と吸収体４との間に配置される親水性のセカンドシート６と、肌当接面側の両側部にそれぞれ長手方向に沿って配設されたサイドシート７、７とから構成されている。また、前記吸収体４の周囲において、そのナプキン長手方向の前後端縁部では、前記裏面シート２と表面シート３との外縁部がホットメルトなどの接着剤やヒートシール、超音波シール等の接合手段によって接合され、またその両側縁部では吸収体４の側縁よりも側方に延出している前記裏面シート２と前記サイドシート７とがホットメルトなどの接着剤やヒートシール、超音波シール等の接合手段によって接合され、外周に吸収体４の存在しない外周フラップ部が形成されている。
【００２５】
以下、さらに前記生理用ナプキン１の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２６】
前記表面シート３は、有孔または無孔の不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００２７】
前記裏面シート２と表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙又は不織布などからなる被包シート５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００２８】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２９】
前記吸収体４を囲繞する被包シート５としては、薄葉紙やティッシュペーパーなどのクレープ紙や不織布を用いることが可能である。前記クレープ紙を構成する繊維素材は、パルプ繊維１００％からなるのが望ましく、薄葉紙やティシュペーパーに用いられる針葉樹パルプ及び広葉樹パルプであるのが望ましい。前記親水性は、スパンボンド不織布やＳＭＳ不織布（ＳＭＳ、ＳＳＭＭＳ等）が好適であり、その材質はポリプロピレン、ポリエチレン／ポリプロピレン複合材などを使用できる。本例のように、吸収体４を囲繞する被包シート５を設ける場合には、結果的に表面シート３と吸収体４との間に被包シート５が介在することになり、吸収性に優れる前記被包シート５によって体液を速やかに拡散させるとともに、これら経血等の逆戻りを防止するようになる。
【００３０】
前記セカンドシート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。また、前記セカンドシート６は、コシを持たせるため、裏面側（吸収体４側）に多孔のフィルム層を有していてもよく、また被包シートとの積層シートとしてもよく、更にはパルプを含む素材を用いてもよい。
【００３１】
一方、本生理用ナプキン１の肌当接面側の両側部にはそれぞれ、長手方向に沿ってかつナプキン１のほぼ全長に亘ってサイドシート７、７が設けられ、このサイドシート７、７の一部が側方に延在されるとともに、同じく側方に延在された裏面シート２の一部とによって、本体部分の両側部に外側に突出するウイング状フラップＷ、Ｗが形成されている。前記ウイング状フラップＷ、Ｗは、装着時に下着のクロッチ部分を巻き込むようにして、基端部の折り線ＲＬ（図１）にて外側に折り返して使用され、ウイング状フラップＷの裏面シート２の外面に備えられたズレ止め粘着剤層（図示せず）を下着の外面に貼着することにより、下着とのズレ止めを図るためのものである。
【００３２】
前記サイドシート７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３３】
前記表面シート３と裏面シート２との間に吸収体４が介在された本体部分の非肌側面には、後段で詳述するように、下着（アウター）との固定を図るズレ止め粘着剤層１１が備えられている。
【００３４】
〔せん断変形層〕
（第１形態例）
本発明に係る生理用ナプキン１では、図１及び図２に示されるように、前記吸収体４とズレ止め粘着剤層１１との間にせん断変形層１０が備えられ、前記せん断変形層１０のせん断変形により、せん断変形層１０の肌側に配置された部材と、せん断変形層１０の非肌側に配置された部材とが面方向に対して相対的に位置ずれし得るように成されている。
【００３５】
図１及び図２に示される実施形態例では、前記せん断変形層１０は、裏面シート２の非肌側面に設けられ、前記ズレ止め粘着剤層１１がせん断変形層１０の非肌側面に設けられている。この場合、上記のせん断変形層１０の肌側に配置された部材は、表面シート３、セカンドシート６、吸収体４及び被包シート５と、裏面シート２及びサイドシート７の前記せん断変形層１０より肌側に配置された部分とであり、せん断変形層１０の非肌側に配置された部材は、ズレ止め粘着剤層１１、下着及び着用時に下着のクロッチ部分を巻き込むようにして下着の外側に折り返されるウイング状フラップＷを構成する裏面シート２及びサイドシート７の部分である。
【００３６】
このため、図３に示されるように、生理用ナプキン１の着用時に、脚を動かすなどの姿勢を変化させる着用者の動作に伴い、下着にヨレやシワなどが生じて下着が着用者の肌に対して相対的に位置ずれしたときでも、前記せん断変形層１０がせん断変形することにより、前記ズレ止め粘着剤層１１及び下着を含むせん断変形層１０の非肌側に配置された部材の位置ずれが、前記せん断変形層１０の肌側に配置された部材に影響を与えることなく、前記せん断変形層１０の肌側に配置された部材が着用者の肌に密着した状態に維持される。つまり、図３(A)に示されるように、着用者の動作に伴い下着が右側に移動した場合、着用者の肌面と生理用ナプキン１の表面との摩擦力によってせん断変形層１０の肌側に配置された部材が肌面と密着した状態を維持しようとし、せん断変形層１０に所定のせん断力が作用する。このせん断力に伴って、せん断変形層１０がせん断変形することによって、せん断変形層１０の肌側に配置された部材が肌に密着した状態を維持する一方で、下着は右側に移動する。一方、図３(B)に示されるように、着用者の動作に伴い下着が左側に移動した場合には、前記せん断変形層１０に所定のせん断力が作用し、せん断変形層１０がせん断変形することによって、せん断変形層１０の肌側に配置された部材が肌に密着した状態を維持する一方で、下着は左側に移動する。このように、前記せん断変形層１０がせん断変形することにより、せん断変形層１０の肌側に配置された部材が肌に密着した状態を維持するため、着用時における生理用ナプキン１の肌当接面と着用者の肌との間の擦れが生じにくくなり、痒みや痛みなどの装着感の悪化が抑えられる。
【００３７】
前記せん断変形層１０は、図１に示される平面視で、吸収体４とほぼ同等かこれより小さな平面形状で形成されている。図１に示される例では、前記せん断変形層１０は、吸収体４のほぼ全面を覆う平面視略四角形の１枚の平板状に形成されているが、後段で詳述するように、幅方向及び／又は長手方向に分割された複数の部材によって形成してもよい。また、前記せん断変形層１０を配置する領域は、吸収体４のほぼ全面でなくても、着用者の体液排出部Ｈに対応する長手区間、すなわち両側のウイング状フラップＷが形成された長手区間のみとし、それよりも前側及び後側には設けないようにしてもよい。
【００３８】
前記せん断変形層１０としては、せん断ひずみが大きな部材であれば公知のものを制限なく用いることができ、例えば、ポリプロピレン、ポリエチレン、スチレン等からなる多孔質状の発泡樹脂（プラスチックフォーム）、カイメン類などの海綿質繊維からなる天然スポンジ、捲縮繊維または非捲縮繊維などからなる厚い不織布を挙げることができる。これらのうち、圧縮復元性が良く、構造部材としてある程度の強度及び耐久性を備え、せん断力が作用した際に面方向への移動量が大きくなる発泡樹脂によって構成するのが好ましい。前記発泡樹脂としては、着用時におけるムレを防止するため、内部の気泡が連続しており、通気性を有する連続気泡構造体のものを用いるのが好ましい。
【００３９】
前記せん断変形層１０の厚みは任意である。一般に、同じせん断力が作用した際、厚みを厚くすれば両面の相対的な位置ずれ量が大きくなる。所定のせん断力が作用したときに両面の相対的な位置ずれ量が０．３ｍｍ以上、好ましくは０．９ｍｍ以上得られるような厚みで形成するのが好ましい。特に、前記せん断変形層１０として不織布を使用した場合、厚みは０．３〜５．０ｍｍ、好ましくは０．９〜４．０ｍｍ、坪量は３０〜４００ｇ/ｍ2、好ましくは７０〜３００ｇ/ｍ2のものを用いるのがよい。
【００４０】
前記せん断変形層１０を裏面シート２の非肌側面に設けた場合において、前記せん断変形層１０の非肌側面には、下着等のアウターとの固定を図るズレ止め粘着剤層１１が設けられている。前記ズレ止め粘着剤層１１は、図示例では、生理用ナプキン１の長手方向に沿うとともに、幅方向に間隔を空けて３条設けられているが、１条又は２条でもよいし４条以上でもよく、また生理用ナプキン１の幅方向に沿うとともに、長手方向に間隔を空けて複数条設けてもよいし、更に前記せん断変形層１０のほぼ全面に設けるようにしてもよい。
【００４１】
前記ズレ止め粘着剤層１１は、生理用ナプキン１の個装状態では、容易に剥離可能な剥離シート（図示せず）によって覆われ、使用時にこの剥離シートを剥がしてズレ止め粘着剤層１１を露出した状態でアウターに固定する。なお、前記ズレ止め粘着剤層１１に代えて、機械接合式のフック部材を用いてもよい。前記フック部材は、吸収性物品として、大人用おむつ等のおむつ外装体（アウター）の内面に装着するインナーパッドで構成した場合に特に好適である。
【００４２】
（第２形態例）
次に、第２形態例に係るせん断変形層１０について説明すると、本第２形態例では、図４に示されるように、前記せん断変形層１０を吸収体４と裏面シート２との間に設け、ズレ止め粘着剤層１１を裏面シート２の非肌側面に設けている。この場合、上記のせん断変形層１０の肌側に配置された部材とは、表面シート３、セカンドシート６、吸収体４及び被包シート５と、サイドシート７の表面シート３の肌側に配置された部分とであり、せん断変形層１０の非肌側に配置された部材とは、裏面シート２、ズレ止め粘着剤層１１、下着及び着用時に下着のクロッチ部分を巻き込むようにして下着の外側に折り返されるウイング状フラップＷを構成するサイドシート７の部分である。
【００４３】
前記せん断変形層１０としては、通液性を有するが、液体の吸収機能は有さないもの、具体的には発泡樹脂を使用するのが好ましい。これにより、せん断変形層１０を体液が通過するが、せん断変形層１０に液保持しないため、ウェット状態になっても乾燥状態と同様にせん断変形できるようになる。
【００４４】
前記せん断変形層１０を吸収体４と裏面シート２との間に設けることにより、裏面シート２の外面に通常の生理用ナプキン１と同様の形態でズレ止め粘着剤層１１が設けられるようになるため、下着との位置ずれがより確実に防止できるようになる。
【００４５】
前記せん断変形層１０のせん断変形によって相対的な位置ずれを吸収しやすくするため、つまり下着の位置ずれがせん断変形層１０の肌側に配置された部材に影響を与えにくくするため、せん断変形層１０の肌側に配置された部材のうち、せん断変形層１０の外縁から外側に延出し、この延出部がせん断変形層１０の非肌側に配置された部材（裏面シート２）に接合される部材（表面シート３、セカンドシート６及びサイドシート７）の前記延出部に対し、前記裏面シート２との接合部までの間に、前記せん断変形層１０の非肌側に配置された部材が面方向へ移動するのを許容する弛み部を設けてもよい。
【００４６】
（第３形態例）
図５に示されるように、前記せん断変形層１０は、裏面シート２の非肌側面に設けられるとともに、前記吸収体４と裏面シート２との間に設けられるようにしてもよい。つまり、前記せん断変形層１０を、裏面シート２を挟んで上下に２段配置で設けてもよい。これにより、より確実に下着と着用者の肌との相対的な位置ずれがせん断変形層１０、１０によって吸収できるようになる。この場合、ズレ止め粘着剤層１１は、非肌側に配置されたせん断変形層１０の非肌側面に設けられている。
【００４７】
（第４形態例）
図６及び図７に示されるように、前記せん断変形層１０は、生理用ナプキン１の長手方向に沿うとともに幅方向に所定の間隔を空けて複数条で配置してもよい。各せん断変形層１０の非肌側面にはそれぞれズレ止め粘着剤層１１が配置されている。このように、せん断変形層１０を分割して複数配置することにより、せん断変形層１０がせん断変形しやすくなり、生理用ナプキン１と着用者の肌との擦れがより一層低減して装着感が更に良好になる。
【００４８】
図示例では、前記せん断変形層１０は、裏面シート２の非肌側面に設けられているが、吸収体４と裏面シート２との間に設けてもよいし、これらの両方に設けてもよい。また、前記せん断変形層１０は、生理用ナプキン１の幅方向に沿うとともに長手方向に所定の間隔を空けて複数条で配置してもよい。ただし、着用者の動作に伴う下着の位置ずれは、生理用ナプキン１の長手方向に沿う位置ずれ量より、生理用ナプキン１の幅方向に沿う位置ずれ量の方が大きくなる傾向にあるため、前記せん断変形層１０は、生理用ナプキン１の長手方向に沿うとともに幅方向に間隔を空けて複数条で形成するのが好ましい。
【００４９】
（第５形態例）
図８に示されるように、前記せん断変形層１０は、生理用ナプキン１の長手方向及び幅方向にそれぞれ所定の間隔を空けて複数配置してもよい。長手方向及び幅方向にそれぞれ独立的に複数のせん断変形層１０…を設けることにより、各せん断変形層１０がせん断変形しやすくなり、下着と着用者の肌との相対的な位置ずれを吸収しやすくなるとともに、各せん断変形層１０が独立的に異なる変形量でせん断変形できるようになるため、身体の各部位によって異なる相対的な位置ずれ量に応じて各部位に設けられたせん断変形層１０が変形することが可能となる。
【００５０】
各せん断変形層１０の平面形状は任意であり、公知の形状で形成することが可能であるが、せん断変形の方向性を持たない円形とするのが好ましい。
【００５１】
図示例では、前記せん断変形層１０は、裏面シート２の非肌側面に設けられているが、吸収体４と裏面シート２との間に設けてもよいし、これらの両方に設けてもよい。
【符号の説明】
【００５２】
１…生理用ナプキン、２…裏面シート、３…表面シート、４…吸収体、５…被包シート、６…セカンドシート、７…サイド不織布、１０…せん断変形層、１１…ズレ止め粘着剤層
【図１】
2020156641.tif 000003
【図２】
2020156641.tif 000004
【図３】
2020156641.tif 000005
【図４】
2020156641.tif 000006
【図５】
2020156641.tif 000007
【図６】
2020156641.tif 000008
【図７】
2020156641.tif 000009
【図８】
2020156641.tif 000010